(57)【要約】【課題】電子ペーパー等に使用される液晶駆動装置の駆動方法に関し、特に黒表示が連続した後の白表示に尾引きを発生させることがなく、また白表示が連続した後の黒表示に黒浮きを発生させることがない液晶駆動方法を提供するものである。【解決手段】液晶駆動方法であって、走査電極の一部を選択状態のリセットライン及び書込みラインと、非選択状態の休止ラインにそれぞれ設定し、上記リセットライン、休止ライン、及び書込みラインをそれぞれシフトさせながら、信号電極に画像データを供給し、上記各ラインの駆動周期をリセット期間Ｒと書込み期間Ｗに分割し、上記各ラインの書込み期間Ｗでの書込みに先立って、ｎラインに渡って前記リセット期間Ｒで上記液晶画素の状態を変化させるために充分な第１の電圧を印加する処理と、上記第１の電圧を印加した後、ｍラインに渡って前記リセット期間Ｒ及び書込み期間Ｗで上記液晶画素の状態を変化させない第２の電圧を印加する処理とを行うことを特徴とする。【選択図】  図１
2011123116.tif 000002
【特許請求の範囲】
【請求項１】
走査電極と信号電極がマトリクス状に配設され、前記走査電極と信号電極の交差部それぞれに液晶画素が形成され、
前記走査電極と平行な方向に、前記液晶画素が連なったリセットラインと、書込みラインと、該リセットラインおよび該書き込みラインとは異なる休止ラインとを設定し、
前記リセットラインと前記休止ラインと前記書込みラインとをそれぞれ該走査電極と交差する方向にシフトさせながら、該設定された書込みラインに対応する画像データを前記信号電極に供給する液晶駆動装置の駆動方法であって、
前記リセットラインと前記休止ラインと前記書込みラインとの駆動周期をリセット期間Ｒと書込み期間Ｗに分割する処理と、
前記書込み期間Ｗでの前記信号電極による前記書き込みラインへの書込みに先立って、ｎラインに渡って前記リセット期間Ｒに、前記液晶画素における液晶の状態が変化する第１の電圧を印加する処理と、
ｍラインに渡って前記リセット期間Ｒ及び書込み期間Ｗで前記液晶画素における前記液晶の状態が変化しない第２の電圧を印加する処理と、
を行うことを特徴とする液晶駆動方法。
【請求項２】
前記駆動周期において、前記リセット期間Ｒと書込み期間Ｗは、リセット期間Ｒ／２、書込み期間Ｗ、リセット期間Ｒ／２の順番であることを特徴とする請求項１記載の液晶駆動方法。
【請求項３】
前記各ラインの駆動周期において、前記リセット期間Ｒと書込み期間Ｗは、リセット期間Ｒ／２、書込み期間Ｗ／２、リセット期間Ｒ／２、書込み期間Ｗ／２の順番であることを特徴とする請求項１記載の液晶駆動方法。
【請求項４】
前記各ラインの駆動周期において、前記リセット期間Ｒと書込み期間Ｗは、書込み期間Ｗ／２、リセット期間Ｒ、書込み期間Ｗ／２の順番であることを特徴とする請求項１記載の液晶駆動方法。
【請求項５】
走査電極と信号電極がマトリクス状に配設され、前記走査電極と信号電極の交差部それぞれに液晶画素が形成され、
前記走査電極と平行な方向に、前記液晶画素が連なったリセットラインと、書込みラインと、該リセットラインおよび該書き込みラインとは異なる休止ラインとを設定し、
前記リセットラインと前記休止ラインと前記書込みラインとをそれぞれ該走査電極と交差する方向にシフトさせながら、該設定された書込みラインに対応する画像データを前記信号電極に供給する液晶駆動装置であって、
前記リセットラインと前記休止ラインと前記書込みラインとの駆動周期をリセット期間Ｒと書込み期間Ｗに分割する手段と、
前記書込み期間Ｗでの前記信号電極による前記書き込みラインへの書込みに先立って、ｎラインに渡って前記リセット期間Ｒに、前記液晶画素における液晶の状態が変化する第１の電圧を印加する第１の電圧印加手段と、
ｍラインに渡って前記リセット期間Ｒ及び書込み期間Ｗで前記液晶画素における前記液晶の状態が変化しない第２の電圧を印加する第２の電圧印加手段と、
を有することを特徴とする液晶駆動装置。
【発明の詳細な説明】
【技術分野】
【０００１】
本発明は液晶駆動方法に関し、特に電子ペーパー等に使用される液晶パネルの駆動方法に関する。
【背景技術】
【０００２】
近年、各企業や大学等において電子ペーパーの開発が盛んに進められている。この電子ペーパーの技術が期待される分野として、電子書籍を筆頭として、モバイル端末のサブディスプレイやＩＣカード等の表示部があり、更に電子ペーパーを用いた多様な応用電子機器の提案も行われている。
【０００３】
ここで、電子ペーパーの有力な表示方式の1つに、コレステリック液晶を使用する提案がある。コレステリック液晶は、半永久的な表示保持機能を有し、鮮やかなカラー表示や、高コントラスト、高解像性等の優れた特徴を有する。
【０００４】
コレステリック液晶は、カイラルネマティック液晶とも称されることがあり、ネマティック液晶にキラル性の添加剤（カイラル材とも称される）を比較的多く（例えば、数１０％）添加することにより、ネマティック液晶の分子がらせん状のコレステリック相を形成する液晶である。コレステリック液晶は、その液晶分子の配向状態によって表示制御を行う。例えば、図１０（ａ）、（ｂ）に示すように、コレステリック液晶には入射光を反射するプレーナ状態と、透過するフォーカルコニック状態があり、これらは無電界下でも安定して存在する。
【０００５】
同図（ａ）に示すように、プレーナ状態の時、液晶分子のらせんピッチに応じた波長の光を反射する。尚、らせんピッチはプレーナ状態の液晶分子の１回転長であり、反射が最大となる波長λは、液晶の平均屈折率をｎ、らせんピッチをｐとすると、以下の計算式で示される。
λ＝ｎ・ｐ
【０００６】
また、液晶層と別に光吸収層を設けることで、同図（ｂ）に示すフォーカルコニック状態において、黒色を表示させることができる。
【０００７】
上記コレステリック液晶の応答特性は以下のようである。例えば、液晶に強い電界を与えると、液晶分子のらせん構造は完全に解け、全ての分子が電界の向きに従うホメオトロピック状態となる。次に、ホメオトロピック状態から急激に電界をゼロにすると、液晶のらせん軸は電極に垂直になり、らせんピッチに応じた光を選択的に反射する上記プレーナ状態となる。
【０００８】
一方、液晶分子のらせん構造が解けない程度の弱い電界の形成後の電界除去、或いは強い電界をかけ緩やかに電界を除去した場合、液晶のらせん軸は電極に平行になり、入射光を透過する上記フォーカルコニック状態となる。また、中間的な強さの電界を与え、急激に除去すると、プレーナ状態とフォーカルコニック状態が混在し、中間調の表示が可能となる。以上の応答特性を利用して情報の表示を行う。
【０００９】
特許文献１はコレステリック液晶を用いた表示素子の駆動方法を提案する発明である。図１１に示すように、この発明は書込み期間より先にリセット期間と休止期間を設け、例えばリセットラインとして数本〜数１０本のラインを連続して選択し、選択されたライン内の各画素には、書込みラインと同じ電圧が印加される。また、休止ラインには、スキャンが行われない非選択画素と同じ電圧が印加される。尚、同図は書込みライン（書込先頭ライン）がほぼ画面の中央付近に達した状態を示し、画面の下半分は前回表示分の内容であり、上半分は新規表示分の内容である。
【００１０】
尚、以下の説明では、セグメント側電極の電極数が２４０、コモン側電極の電極数が３２０であり、横２４０画素、縦３２０画素の表示パネルとして説明する。また、同図に示す書込みラインの位置を上から１７０ライン目とし、休止ライン数を１ラインとし、リセットライン数を６ラインとして説明する。したがって、リセットラインの位置は上から１７２ライン目〜１７７ライン目であり、駆動パルスの周期を１０ｍｓとすると、３２０ラインの表示パネル全体の駆動に３．２ｓを要する。
【００１１】
セグメント側電極には、選択ライン上の画素値に応じて、白画素であれば３６Ｖ／０Ｖ、黒画素であれば２４Ｖ／１２Ｖの電圧が印加され、選択ラインのコモン側電極には０Ｖ／３６Ｖが印加され、非選択ラインのコモン側電極には３０Ｖ／６Ｖが印加される。したがって、選択ライン上の全ての白画素には±３６Ｖが印加され、選択ライン上の全ての黒画素には±２４Ｖが印加される。また、非選択ライン上の全ての画素には、±６Ｖが印加される。
【００１２】
上記条件において、リセットライン及び書込みラインに対して、図１２に示すタイミングで電圧を印加すると、１７０ライン目の書き込みラインの画素群については、以下のようになる。尚、同図において、Ｒ１〜Ｒ６は６回のリセット期間を示し、Ｐは休止期間であり、Ｗは書込み期間を示す。
【００１３】
先ず、１ライン目〜１６２ライン目が書込ラインのとき、１７０ライン目は非選択状態であり、±６Ｖが印加される。次に、１６３ライン目が書込ラインのとき、１７０ライン目は選択状態となり、画素値に応じた電圧が印加される。さらに、１６４ライン目〜１６８ライン目が書込ラインのとき、１７０ライン目は選択状態であり、１６４ライン目〜１６８ライン目の各ラインの画素値に応じた電圧が印加される。
【００１４】
次に、１６９ライン目が書込ラインのとき、１７０ライン目は非選択状態であり、±６Ｖが印加される。そして、１７０ライン目が書込ラインのとき、画素値に応じた電圧が印加される。
【００１５】
したがって、１７０ライン目が書込みラインである時、先行して既に白画素又は黒画素に対応した６回の電圧印加が行われている。
【先行技術文献】
【特許文献】
【００１６】
【特許文献１】特開２００８−３３３３８号公報
【発明の概要】
【発明が解決しようとする課題】
【００１７】
しかしながら、上記表示素子の駆動方法では、以下の問題がある。すなわち、１６３ライン目〜１６８ライン目の画素が全て黒表示であれば、１７０ライン目の画素が黒表示であれば良好な表示が行われるが、白表示であれば明るさが足りない表示となる。一方、１６３ライン目〜１６８ライン目の画素が全て白表示であれば、１７０ライン目が白表示であれば良好な表示が行われるが、黒表示であれば暗さの足りない表示となる。
【００１８】
したがって、上記従来の表示素子の駆動方法では、本来ならば白表示になる部分が白表示にならない、又は白表示が不充分な現象（以下、尾引きとして示す）や、本来ならば黒表示になる部分が黒表示にならない、又は黒表示が不充分な現象（以下、黒浮きとして示す）が生じる。
【００１９】
そこで、本発明は尾引きや黒浮きが発生しない液晶駆動装置の駆動方法を提供するものである。
【課題を解決するための手段】
【００２０】
上記課題は、走査電極と信号電極がマトリクス状に配設され、前記走査電極と信号電極の交差部に液晶画素が形成され、上記走査電極の一部を選択状態のリセットライン及び書込みラインと、非選択状態の休止ラインにそれぞれ設定し、上記リセットライン、休止ライン、及び書込みラインをそれぞれシフトさせながら、上記信号電極に画像データを供給する液晶駆動装置の駆動方法であって、上記各ラインの駆動周期をリセット期間Ｒと書込み期間Ｗに分割し、上記各ラインの書込み期間Ｗでの書込みに先立って、ｎラインに渡って前記リセット期間Ｒで前記液晶画素の状態を変化させるために充分な第１の電圧を印加する処理と、この第１の電圧を印加した後、ｍラインに渡って前記リセット期間Ｒ及び書込み期間Ｗで前記液晶画素の状態を変化させない第２の電圧を印加する処理とを行い、尾引きや黒浮きの発生を防止する。
【発明の効果】
【００２１】
上記課題は本発明によれば、リセットライン形成時、細い帯状の電圧を多数回印加することによって、尾引きや黒浮きを無くし、品質のよい表示を行なう液晶駆動方法を提供するものである。
【図面の簡単な説明】
【００２２】
【図１】本実施形態の液晶駆動方法を説明する駆動回路の回路図である。
【図２】液晶パネルの断面構成を示す図である。
【図３】（ａ）は６０ｍｓの駆動パルスを印加した場合のコレステリック液晶の駆動例を示す図であり、（ｂ）は２ｍｓの駆動パルスを印加した場合のコレステリック液晶の駆動例を示す図であり、（ｃ）は１ｍｓの駆動パルスを印加した場合のコレステリック液晶の駆動例を示す図である。
【図４】初期状態がプレーナ状態である場合、印加するパルス電圧の周期が１ｍｓ、２ｍｓ、１０ｍｓ、２０ｍｓ、１００ｍｓの時の応答特性を印加電圧に対する反射率の関係として示す図である。
【図５】ドライバＩＣに駆動電圧を印加した時の液晶セルの電圧波形であり、（ａ）は周期６０ｍｓの±３６Ｖの電圧が印加された場合の波形図であり、（ｂ）は周期２ｍｓの±２４Ｖの電圧が印加された場合の波形図であり、（ｃ）は周期１ｍｓの±２４Ｖの電圧が印加された場合の波形図である。
【図６】（ａ）は従来の駆動波形を示し、（ｂ）は本実施形態１の駆動波形を示す。
【図７】（ａ）は実施形態２の駆動例を示すタイムチャートであり、（ｂ）は実施形態３の駆動例を示すタイムチャートであり、（ｃ）は実施形態４の駆動例を示すタイムチャートであり、（ｄ）は実施形態５の駆動例を示すタイムチャートである。
【図８】（ａ）は実施形態７の駆動例を示すタイムチャートであり、（ｂ）は実施形態８の駆動例を示すタイムチャートであり、（ｃ）は実施形態９の駆動例を示すタイムチャートであり、（ｄ）は実施形態１０の駆動例を示すタイムチャートである。
【図９】従来の駆動波形に対応させて、本実施形態の駆動波形を使用する場合の白飽和度、黒飽和度、及び書込電力の比較を示す図である。
【図１０】（ａ）はコレステリック液晶のプレーナ状態を示す概念図であり、（ｂ）はコレステリック液晶のフォーカルコニック状態を示す概念図である。
【図１１】書込み時の表示素子の画面例を示す図である。
【図１２】従来のコレステリック液晶の駆動波形を示す図である。
【図１３】尾引き及び黒浮きの例を示す図である。
【発明を実施するための形態】
【００２３】
以下、本発明の実施の形態を図面に基づいて説明する。
（実施形態１）
図１は、本実施形態の液晶駆動方法を説明する液晶駆動回路の回路図である。
【００２４】
同図において、本例の液晶駆動回路１は液晶パネル２、液晶パネル２に形成された液晶画素をダイナミック駆動するドライバＩＣ３、ドライバＩＣ３に各種制御信号を供給するタイミング制御部４、ドライバＩＣ３に電源供給を行う電源部５、及び切替回路６等で構成されている。
ドライバＩＣ３はコモンドライバ３ａとセグメントドライバ３ｂで構成され、コモンドライバ３ａから表示パネル２に対して多数の走査電極２５が配設され、セグメントドライバ３ｂから表示パネル２に対して多数の信号電極２６が配設されている。また、上記走査電極２５と信号電極２６はマトリクス状に配設され、走査電極２５と信号電極２６の交差部には、それぞれに画素が形成されている。走査電極２５と信号電極２６は、表示パネル２をダイナミック駆動する。
【００２５】
尚、電源部５は昇圧部７、電圧形成部８、及びレギュレータ部９で構成され、昇圧部７は例えば３Ｖの入力電圧を４０Ｖに昇圧する。電圧形成部８は昇圧部７によって昇圧された電圧に基づいて、後述する処理に必要な４０Ｖ/２８Ｖ/１２Ｖ/３４Ｖ/６Ｖの基準電圧を生成し、レギュレータ部９を介してドライバＩＣ３に供給する。
また、タイミング制御部４には不図示のクロック生成部から基準クロックを分周した分周信号が供給され、この分周信号に基づいて書込み期間Ｗやリセット期間Ｒの設定が行われる。
【００２６】
タイミング制御部４は、ドライバＩＣ３に供給する各種信号を生成する。例えば、同図に示す転送クロック、極性反転信号、選択ライン指定信号、駆動開始指示信号を生成し、ドライバＩＣ３に出力する。また、駆動データ選択信号を生成し、切替回路６に出力する。
【００２７】
切替回路６は白データ用端子６ａ、黒データ用端子６ｂ、画像データ用端子６ｃ、及び出力端子６ｄを含み、上記駆動データ選択信号に従って出力端子６ｄを何れかの端子に接続し、白データ、又は黒データ、又は画像データをドライバＩＣ３のセグメントドライバに供給する。
【００２８】
また、画像データは原画像メモリ１０に記憶されており、タイミング制御部４からの画像読出信号によって画像データが読み出され、２値化回路１１を介して切替回路６に出力される。そして、上記駆動データ選択信号によって画像データ用端子６ｃが選択される時、ドライバＩＣ３のセグメントドライバに供給される。
【００２９】
駆動開始指示信号はドライバＩＣ３に出力され、２４０×３２０画素で構成される表示パネル２の各ライン毎の駆動開始を指示する。また、極性反転信号はドライバＩＣ３から液晶パネル２に供給される駆動電圧の極性切替えを行う。また、転送クロックは、ドライバＩＣ３のセグメントドライバに上記画像データや、白データ、黒データを転送する際の同期信号であり、転送クロックに同期して画像データ等をセグメントドライバに供給する。
【００３０】
上記画像データ等はセグメントドライバにシリアルに入力し、１ライン分のデータが入力すると、選択ライン指定信号の出力に同期して不図示のラッチ回路にラッチされ、以後液晶パネル２の表示に使用される。
【００３１】
図２は、上記液晶パネル２の断面構成を示す。液晶パネル２は、透光性のフィルム基板１４、１５、ＩＴＯ（Indium Tin Oxide）電極１６、１７、液晶混合物１８、液晶混合物１８を封止するシール材１９、２０、及び吸収層２１で構成されている。また、ＩＴＯ電極１６、１７には駆動回路２２が接続され、駆動回路２２からパルス状の駆動信号（駆動電圧）がＩＴＯ電極１６、１７に供給される。
【００３２】
ＩＴＯ電極１６、１７は、フィルム基板１４、１５に垂直な方向から見て互いに交差するように向かい合わせに配設されている。また、上記吸収層２１は、光を入射させる側とは反対側のフィルム基板１５の裏面に配設されている。
【００３３】
フィルム基板１４、１５としては、ＰＥＴ（ポリエチレンテレフタレート）やＰＣ（ポリカーボネート）等のフィルム基板を使用することができる。また、フィルム基板以外にガラス基板を使用することもできる。
【００３４】
また、本実施形態で使用する液晶混合物１８は、室温でコレステリック相を示すコレステリック液晶組成物であり、例えばネマティック液晶混合物にカイラル材を１０〜４０ｗｔ％添加したコレステリック液晶である。尚、カイラル材の添加量はネマティック液晶成分とカイラル材の合計量を１００ｗｔ％としたときの値である。
【００３５】
図３は、上記コレステリック液晶の応答特性を印加電圧に対する反射率の関係として示す図である。同図（ａ）に示すように、初期状態がプレーナ状態である場合、例えば６０ｍｓのパルス電圧をある範囲に上げるとフォーカルコニック状態の駆動帯域となり、更にパルス電圧を上げると再度プレーナ状態の駆動帯域となる。また、初期状態がフォーカルコニック状態である場合、パルス電圧を上げるにつれて次第にプレーナ状態の駆動帯域となる。尚、初期状態がプレーナ状態、フォーカルコニック状態の何れにもよらず、必ずプレーナ状態になる電圧を、同図では±３６Ｖに設定している。
【００３６】
また、同図（ｂ）、（ｃ）に示すように、上記電圧が低い、或いは周期が短いパルス電圧を印加すると、その応答性は高電圧側にシフトする。例えば、オン、オフ電圧が±２４Ｖと±１２Ｖで、周期２ｍｓと１ｍｓの駆動電圧を印加し、初期状態がプレーナ状態である場合、周期２ｍｓ（同図（ｂ））と１ｍｓ（同図（ｃ））では、何れも±１２Ｖでは応答性を示さず、プレーナ状態を維持する。一方、±２４Ｖでは、周期２ｍｓと１ｍｓの双方で応答性を示し、反射率が少し低下した中間調となる。この反射率の低下は周期１ｍｓより、周期２ｍｓの方が大きい。すなわち、２ｍｓの方が低い階調となる。
【００３７】
さらに、図４は初期状態がプレーナ状態である場合、印加するパルス電圧の周期が１ｍｓ、２ｍｓ、１０ｍｓ、２０ｍｓ、１００ｍｓの時の応答特性を印加電圧に対する反射率の関係として示す。同図に示すように、同じ電圧を印加した場合、電圧印加の周期が短いほど高電圧側にシフトすることが分かる。例えば、１００ｍｓの周期である場合、プレーナ状態からフォーカルコニック状態、更にプレーナ状態に移行する特性は低電圧側であるが、電圧印加の周期が２０ｍｓ、１０ｍｓ、２ｍｓ、１ｍｓと短くなるに従って上記コレステリック液晶の状態変化は高電圧側にシフトする。
【００３８】
尚、図５はドライバＩＣ３（コモンドライバ及びセグメントドライバ）に駆動電圧を印加した時の液晶セル（液晶画素）の電圧波形であり、同図（ａ）は周期６０ｍｓの±３６Ｖの電圧が印加された場合の波形図であり、同図（ｂ）は周期２ｍｓの±２４Ｖの電圧が印加された場合の波形図であり、同図（ｃ）は周期１ｍｓの±２４Ｖの電圧が印加された場合の波形図である。
【００３９】
次に、本実施形態の処理動作を説明する。尚、以下の説明において、従来例との比較を明確にするため、前述の図１１に示す画面例との対比において、本実施形態の処理を説明する。すなわち、液晶パネル２の画素数は前述と同様、横２４０画素、縦３２０画素であり、セグメント側電極の電極数は２４０、コモン側電極の電極数は３２０である。また、書込ライン位置は画面の上から１７０ライン目であり、非選択ラインとして設定される休止ラインのライン数（ｍ）は本例では１ラインとし、リセット期間Ｒが設定されるリセットラインのライン数（ｎ）は本例では６０ラインとする。したがって、本例においては１７０ライン目の書込みラインに対するリセットラインの位置は、上から１７２ライン目〜２３１ライン目が対応する。
ここで、書込み期間Ｗはリセットライン及び書き込みラインにおける画像データの書き込み期間であり、リセット期間Ｒはリセットラインにおいて液晶画素の液晶状態を変化させる電圧印加期間である。
【００４０】
また、セグメント側電極には、選択ライン上の画素値に応じて、白画素なら４０Ｖ／０Ｖを印加し、黒画素なら２８Ｖ／１２Ｖを印加し、選択ラインのコモン側電極には０Ｖ／４０Ｖを印加し、非選択ラインのコモン側電極には３４Ｖ／６Ｖを印加する。したがって、選択ライン上の全ての白画素には±４０Ｖ、選択ライン上の全ての黒画素には±２８Ｖが印加され、非選択ライン上の全ての画素には±６Ｖの電圧が印加される。
【００４１】
以下、図６（ｂ）に示す駆動波形を参照して１７０ライン目の画素群について考察する。尚、同図（ａ）に示すタイムチャートは従来例で説明した図１２のタイムチャートであり、本例との対比のため併記する。
【００４２】
先ず、１ライン目〜１０８ライン目が書込ラインである時、１７０ライン目は非選択状態であり、±６Ｖの電圧が印加される。
次に、１０９ライン目が書込ラインのとき、１７０ライン目の最初の１ｍｓには、黒画素に応じた電圧が印加され、残りの９ｍｓには、±６Ｖが印加される。同様に、以後１１０ライン目〜１６８ライン目が書込ラインのとき、１７０ライン目の最初の１ｍｓには、黒画素に応じた電圧が印加され、残りの９ｍｓには、±６Ｖが印加される。
【００４３】
次に、１６９ライン目が書込ラインのとき、１７０ライン目は非選択状態であり、±６Ｖ（第２の電圧）が印加される。そして、１７０ライン目が書込ラインのとき、１７０ライン目の最初の１ｍｓは非選択状態であり、±６Ｖが印加され、残りの９ｍｓには１７０ライン目の画素値に応じた電圧が印加される。
【００４４】
したがって、１７０ライン目の画素群には、１７０ライン目の書込みに先行して、１０９ライン目〜１６８ライン目の書込み時の最初の１ｍｓに黒画素に対応する電圧（第１の電圧）が６０回印加される。したがって、対応する１７０ライン目の書込み時の画素の状態は、周期６０ｍｓで１２〜２６Ｖが印加された状態に近く、画素値が黒の場合は良好な黒が表示される。また、画素値が白の場合でも、画素状態（周期６０ｍｓで１２〜２６Ｖが印加された状態に近い）を考慮した駆動電圧（４０Ｖ）とすることで、良好な白が表示される。尚、１ｍｓで２８Ｖの充放電を２回行うため、帯形成時のピーク電力はやや大きい。
【００４５】
上記処理において、前述のタイミング制御部４は、駆動周期の最初の１ｍｓに選択ライン・非選択ラインを指定し、駆動データを０（黒）に切り替えてデータを転送し、駆動開始・極性反転処理を指令する。駆動周期の残りの９ｍｓにも、選択ライン・非選択ラインを指定し、駆動データを２値化された画像データに切り替えてデータを転送し、駆動開始・極性反転を指令する。
【００４６】
上記駆動データの切り替えは、前述の駆動データ選択信号に従って行われ、例えば駆動周期の最初の１ｍｓの期間、切替回路６は黒データ用端子６ｂを入力端子６ｄに接続し、黒データをセグメントドライバに供給する。また、駆動周期の残りの９ｍｓには、画像データ用端子６ｃを入力端子６ｄに接続し、画像データをセグメントドライバに供給する。
【００４７】
以上のように処理することによって、黒表示が連続した後の白表示であっても尾引きを発生させることがなく、良好な白表示を行うことができる。また、白表示が連続した後の黒表示であっても黒浮きを発生することなく、良好な黒表示を行うことができる。
【００４８】
（実施形態２）
次に、本発明の実施形態２について説明する。
図７(ａ)は本例の液晶駆動装置を使用した駆動波形を示す図であり、液晶駆動装置は前述の図１で説明した回路構成を有し、また液晶パネル２も前述の図２で説明した構成である。
【００４９】
本例の駆動波形は前述の実施形態１の駆動波形と異なり、書込みラインの最初の１ｍｓを非選択ラインではなく、選択ラインとする構成である。すなわち、同図（ａ）に示す書込みラインの最初の１ｍｓを非選択ラインではなく、選択ラインとする構成である。
【００５０】
このように構成することにより、黒画素の電圧での駆動時間が伸びるため、黒は基本波形より向上する。但し、白は劣化する。また、１ｍｓで２８Ｖの充放電を２回行うため、帯形成時のピーク電力はやや大きい。
【００５１】
尚、前述のタイミング制御部４から転送クロックや、極性反転信号、選択ライン指定信号、駆動開始指示信号をドライバＩＣ３に出力し、選択ラインの切替え等の処理を行い、タイミング制御部４から駆動データ選択信号を切替回路６に出力し、黒データ又は画像データを選択してドライバＩＣ３に出力する制御は前述の実施形態１の処理と同様に行われる。
【００５２】
（実施形態３）
次に、本発明の実施形態３について説明する。
図７(ｂ)は本例の液晶駆動装置を使用した駆動波形を示す図であり、液晶駆動装置は前述の図１で説明した回路構成を有し、また液晶パネル２も前述の図２で説明した構成である。
【００５３】
本例の駆動波形は上記実施形態の駆動波形と異なり、リセットラインにおける選択期間を最初の１ｍｓではなく、最初と最後の０．５ｍｓとし、書込みラインの帯形成時を非選択ラインではなく、選択ラインにする構成である。すなわち、１０９ライン〜１６８ライン目までのリセットラインにおいて、最初と最後の０．５ｍｓに黒画素に応じた電圧を印加し、残りの前後半の４．５ｍｓに±６Ｖの電圧を印加する構成である。また、書込みラインの帯形成時を非選択ラインではなく、選択ラインにする構成である。
【００５４】
このように構成することにより、黒画素の電圧での駆動時間が伸びるため、黒は基本波形より向上するが、白は劣化する。また、１ｍｓで２８Ｖの充放電を２回行うため、帯形成時のピーク電力はやや大きい。
【００５５】
（実施形態４）
次に、本発明の実施形態４について説明する。
図７(ｃ)は本例の液晶駆動装置を使用した駆動波形を示す図であり、液晶駆動装置は前述の図１で説明した回路構成を有し、また液晶パネル２も前述の図２で説明した構成である。
【００５６】
本例の駆動波形は前述の実施形態の駆動波形と異なり、リセットラインにおける選択期間を最初の１ｍｓではなく、前半及び後半の５ｍｓの開始時の０．５ｍｓとする点、及び書込みラインの帯形成時を非選択ラインではなく、選択ラインとすることである。
【００５７】
このように構成することにより、黒画素の電圧での駆動時間が伸びるため、黒は基本波形より向上するが、白は劣化する。また、１ｍｓで２８Ｖの充放電を２回行うことはないため、帯形成時のピーク電力はやや小さい。
【００５８】
（実施形態５）
次に、本発明の実施形態５について説明する。
図７(ｄ)は本例の液晶駆動装置を使用した駆動波形を示す図であり、液晶駆動装置は前述の図１で説明した回路構成を有し、また液晶パネル２も前述の図２で説明した構成である。
【００５９】
本例の駆動波形は前述の実施形態の駆動波形と異なり、リセットラインにおける選択期間を最初の１ｍｓではなく、前半５ｍｓの最後の０．５ｍｓ、及び後半５ｍｓの最初の０．５ｍｓで行うことと、書込みラインの帯形成時を非選択ラインではなく，選択ラインにすることである。
【００６０】
このように構成することにより、黒画素の電圧での駆動時間が伸びるため、黒は基本波形より向上するが、白は劣化する。また、１ｍｓで２８Ｖの充放電を２回行うため，帯形成時のピーク電力はやや大きい。
【００６１】
（実施形態６）
次に、本発明の実施形態６について説明する。尚、本例においても、液晶駆動装置は前述の図１で説明した回路構成を有し、また液晶パネル２も前述の図２で説明した構成である。
【００６２】
本実施形態の駆動波形は、前述の図６（ｂ）の駆動波形と同じであるが、帯形成電圧が黒画素書込み時の電圧ではなく、白画素書込み時の電圧である。したがって、１０９ライン〜１６８ライン目までのリセットラインにおいて、最初の１ｍｓに白画素に応じた電圧を印加する。図４から分かるように、周期１ｍｓでは、白画素の書込み電圧である４０Ｖでも、黒画素の書込み電圧である２８Ｖ以上に画素は黒くなる。
【００６３】
また、本例の処理では、切替回路６はタイミング制御部４から出力される駆動データ選択信号に従って、白データ用端子６ａを入力端子６ｄに接続し、白データをセグメントドライバに供給する。尚、画像データの選択は前述と同様、画像データ用端子６ｃを入力端子６ｄに接続して行う。
【００６４】
したがって、このように構成することにより、前述の実施形態２乃至５よりも黒は向上するが、白は劣化する。また、１ｍｓで４０Ｖの充放電を２回行うため、帯形成時のピーク電力は大きい。
【００６５】
（実施形態７）
次に、本発明の実施形態７について説明する。尚、本例においても、液晶駆動装置は前述の図１で説明した回路構成を有し、また液晶パネル２も前述の図２で説明した構成である。
【００６６】
図８(ａ)は本例の液晶駆動装置を使用した駆動波形を示す図であり、本例の駆動波形は前述の実施形態２の駆動波形と同じであり、書込みラインの最初の１ｍｓを非選択ラインではなく、選択ラインとする構成であるが、選択期間に印加されるデータは黒データではなく、白データである。
【００６７】
したがって、このように構成することにより、前述の実施形態２の表示結果より、白は向上するが、黒は劣化する。また、１ｍｓで４０Ｖの充放電を２回行うため、帯形成時のピーク電力は大きい。
【００６８】
（実施形態８）
次に、本発明の実施形態８について説明する。尚、本例においても、液晶駆動装置は前述の図１で説明した回路構成を有し、また液晶パネル２も前述の図２で説明した構成である。
【００６９】
図８(ｂ)は本例の液晶駆動装置を使用した駆動波形を示す図であり、本例の駆動波形は前述の実施形態３の駆動波形に近いが、１０９ライン〜１６８ライン目までのリセットラインにおいて、最初と最後の０．５ｍｓに黒画素ではなく、白画素に対応した電圧を印加し、残りの前後半の４．５ｍｓに±６Ｖの電圧を印加する。
【００７０】
したがって、このように構成することにより、前述の実施形態３の表示結果より、白は向上するが、黒は劣化する。また、１ｍｓで４０Ｖの充放電を２回行うため、帯形成時のピーク電力は大きい。
【００７１】
（実施形態９）
次に、本発明の実施形態９について説明する。尚、本例においても、液晶駆動装置は前述の図１で説明した回路構成を有し、また液晶パネル２も前述の図２で説明した構成である。
【００７２】
図８(ｃ)は本例の液晶駆動装置を使用した駆動波形を示す図であり、本例の駆動波形は前述の実施形態４の駆動波形に近いが、リセットラインにおける前半及び後半の５ｍｓの開始時の０．５ｍｓに黒画素ではなく、白画素に対応した電圧を印加する。
【００７３】
したがって、このように構成することにより、前述の実施形態４の表示結果より、白は向上するが、黒は劣化する。また、１ｍｓで４０Ｖの充放電を２回行うことはないため、帯形成時のピーク電力はやや小さい。
【００７４】
（実施形態１０）
次に、本発明の実施形態１０について説明する。尚、本例においても、液晶駆動装置は前述の図１で説明した回路構成を有し、また液晶パネル２も前述の図２で説明した構成である。
【００７５】
図８(ｄ)は本例の液晶駆動装置を使用した駆動波形を示す図であり、本例の駆動波形は前述の実施形態５の駆動波形に近いが、リセットラインにおける選択期間の前半５ｍｓの最後の０．５ｍｓ、及び後半５ｍｓの最初の０．５ｍｓに黒画素ではなく、白画素に対応した電圧を印加する。
【００７６】
したがって、このように構成することにより、前述の実施形態５の表示結果より、白は向上するが黒は劣化する。また、１ｍｓで４０Ｖの充放電を２回行うため、帯形成時のピーク電力は大きい。
【００７７】
図９は上記実施形態１〜１０について、従来波形を用いた場合との比較を行う図である。尚、同図に示す白飽和度、黒飽和度、書込電力に関する◎、○、△の記号は、従来波形も含め、上記各実施形態１〜１０の説明において記載した評価をまとめたものであり、◎は極めて良好な結果を示し、○は良好の結果を示し、△は問題であることを示す。
【００７８】
また、セグメントデータ書込回数の項目は、セグメントドライバにデータを書き込む回数を記載するものであり、セグメントドライバへのデータ書き込みはリセットラインと書込みラインにおいて同じ回数である。例えば、実施形態１の基本波形の場合、黒データと画像データを書き込むため２回であり、実施形態２の場合も同様、黒データと画像データを書き込むため２回である。また、実施形態３の場合には、リセットラインにおいて、最初と最後の０．５ｍｓに黒データを出力するため、画像データと黒データ２回を書き込むため３回となる。以下、同図に示す通りである。
【００７９】
また、コモンデータ書込回数については、リセットラインと書込みラインで異なり、同図に示す通りである。例えば、リセットラインについては黒データ（又は白データ）と画像データを書き込む際、対応するライン（細い帯）を選択する必要があり、セグメントドライバの書込回数と同じであるが、書込みラインについては実施形態１の場合を除いて１回である。実施形態１においては、最初の１ｍｓを非選択に設定するためである。
【００８０】
以上の各実施形態に関し、更に以下の付記を開示する。
（付記１）
走査電極と信号電極がマトリクス状に配設され、前記走査電極と信号電極の交差部それぞれに液晶画素が形成され、
前記走査電極と平行な方向に、前記液晶画素が連なったリセットラインと、書込みラインと、該リセットラインおよび該書き込みラインとは異なる休止ラインとを設定し、
前記リセットラインと前記休止ラインと前記書込みラインとをそれぞれ該走査電極と交差する方向にシフトさせながら、該設定された書込みラインに対応する画像データを前記信号電極に供給する液晶駆動装置の駆動方法であって、
前記リセットラインと前記休止ラインと前記書込みラインとの駆動周期をリセット期間Ｒと書込み期間Ｗに分割する処理と、
前記書込み期間Ｗでの前記信号電極による前記書き込みラインへの書込みに先立って、ｎラインに渡って前記リセット期間Ｒに、前記液晶画素における液晶の状態が変化する第１の電圧を印加する処理と、
ｍラインに渡って前記リセット期間Ｒ及び書込み期間Ｗで前記液晶画素における前記液晶の状態が変化しない第２の電圧を印加する処理と、
を行うことを特徴とする液晶駆動方法。
（付記２）
前記ｎは、１０を超える整数であることを特徴とする付記１記載の液晶駆動方法。
（付記３）
前記ｍは、２以下の整数であることを特徴とする付記１、又は２記載の液晶駆動方法。
（付記４）
前記リセット期間Ｒの時間の合計／前記書込み期間Ｗの時間の合計は、０．０５〜０．２であることを特徴とする付記１乃至３記載の液晶駆動方法。
（付記５）
前記第１の電圧は、前記書込み期間Ｗにおける透過状態の書込み電圧であることを特徴とする付記１記載の液晶駆動方法。
（付記６）
前記第１の電圧は、前記書込み期間Ｗにおける反射状態の書込み電圧であることを特徴とする付記１記載の液晶駆動装置。
（付記７）
前記ｎラインに渡って前記リセット期間Ｒで前記液晶画素の状態を変化させるために充分な第１の電圧は、前記ｎライン中のｎ１ラインにつては透過状態の書込み電圧であり、前記ｎライン中のｎ２ラインにつては反射状態の書込み電圧であり、前記ｎ１ラインとｎ２ラインの合計はｎラインであるあることを特徴とする付記１記載の液晶駆動装置。
（付記８）
前記各ラインの書込み時におけるリセット期間Ｒに前記第１の電圧、又は第２の電圧を印加することを特徴とする付記１記載の液晶駆動方法。
（付記９）
前記各ラインの駆動周期において、前記リセット期間Ｒと書込み期間Ｗは、リセット期間Ｒ／２、書込み期間Ｗ、リセット期間Ｒ／２の順番であることを特徴とする付記１記載の液晶駆動方法。
（付記１０）
前記各ラインの駆動周期において、前記リセット期間Ｒと書込み期間Ｗは、リセット期間Ｒ／２、書込み期間Ｗ／２、リセット期間Ｒ／２、書込み期間Ｗ／２の順番であることを特徴とする付記１記載の液晶駆動方法。
（付記１１）
前記各ラインの駆動周期において、前記リセット期間Ｒと書込み期間Ｗは、書込み期間Ｗ／２、リセット期間Ｒ、書込み期間Ｗ／２の順番であることを特徴とする付記１記載の液晶駆動方法。
（付記１２）
走査電極と信号電極がマトリクス状に配設され、前記走査電極と信号電極の交差部それぞれに液晶画素が形成され、
前記走査電極と平行な方向に、前記液晶画素が連なったリセットラインと、書込みラインと、該リセットラインおよび該書き込みラインとは異なる休止ラインとを設定し、
前記リセットラインと前記休止ラインと前記書込みラインとをそれぞれ該走査電極と交差する方向にシフトさせながら、該設定された書込みラインに対応する画像データを前記信号電極に供給する液晶駆動装置であって、
前記リセットラインと前記休止ラインと前記書込みラインとの駆動周期をリセット期間Ｒと書込み期間Ｗに分割する手段と、
前記書込み期間Ｗでの前記信号電極による前記書き込みラインへの書込みに先立って、ｎラインに渡って前記リセット期間Ｒに、前記液晶画素における液晶の状態が変化する第１の電圧を印加する第１の電圧印加手段と、
ｍラインに渡って前記リセット期間Ｒ及び書込み期間Ｗで前記液晶画素における前記液晶の状態が変化しない第２の電圧を印加する第２の電圧印加手段と、
を有することを特徴とする液晶駆動装置。
【符号の説明】
【００８１】
１      液晶駆動装置
２      液晶パネル
３      ドライバＩＣ
３ａ      コモンドライバ
３ｂ      セグメントドライバ
４      タイミング制御部
５      電源部
６      切替回路
６ａ      白データ用端子
６ｂ      黒データ用端子
６ｃ      画像データ用端子
６ｄ      入力端子
７      昇圧部
８      電圧形成部
９      レギュレータ部
１４、１５      透光性のフィルム基板
１６、１７      ＩＴＯ電極
１８      液晶混合物
１９、２０      シール材
２１      吸収層
２２      駆動回路
２５      走査電極
２６      信号電極
【図１】
2011123116.tif 000003
【図３】
2011123116.tif 000004
【図４】
2011123116.tif 000005
【図５】
2011123116.tif 000006
【図９】
2011123116.tif 000007
【図２】
2011123116.tif 000008
【図６】
2011123116.tif 000009
【図７】
2011123116.tif 000010
【図８】
2011123116.tif 000011
【図１０】
2011123116.tif 000012
【図１１】
2011123116.tif 000013
【図１２】
2011123116.tif 000014
【図１３】
2011123116.tif 000015